(57)【要約】【課題】硬貨収容カセットに収容された硬貨をその一部の硬貨を残して回収する作業を簡単に行うことができ、しかも残す硬貨の枚数を任意の枚数にすることができ、硬貨収容カセットに対して汎用であって、簡単な構造の硬貨回収補助具を提供する。【解決手段】硬貨回収補助具１は、硬貨を収容するカセット本体７１ａと、該カセット本体７１ａの一側を開閉自在に覆う蓋体７１ｂとを具えた硬貨収容カセット７１に収容された硬貨を、その一部を残して他を回収する時に使用する硬貨回収補助具であって、該硬貨回収補助具装着後、前記蓋体を閉める方向に付勢された時、前記硬貨回収補助具により、カセット本体７１ａに収容された硬貨を前記カセット本体７１ａの内周壁面へ向けて押圧し支持することを特徴としている。【選択図】図１
2010146178.tif 000002
【特許請求の範囲】
【請求項１】
硬貨を収容するカセット本体と、該カセット本体の一側を開閉自在に覆う蓋体とを具えた硬貨収容カセットに収容された硬貨を、その一部を残して他を回収する時に使用する硬貨回収補助具であって、
該硬貨回収補助具装着後、前記蓋体を閉める方向に付勢された時、前記硬貨回収補助具により、カセット本体に収容された硬貨をカセット本体の内周壁面へ向けて押圧し支持するようにしたことを特徴とする硬貨回収補助具。
【請求項２】
前記硬貨収容カセットは、前記蓋体の内周壁面と前記カセット本体の内周壁面とによって形成されるコインチューブを複数有し、
前記硬貨回収補助具は弾性体であり、各コインチューブをそれぞれ形成する前記蓋体の各内周壁面にそれぞれ嵌着され、該硬貨回収補助具が嵌着された前記蓋体を閉める方向に付勢した時、前記硬貨回収補助具により、各コインチューブを形成するカセット本体に収容された各硬貨を、各コインチューブをそれぞれ形成するカセット本体の各内周壁面へ向けてそれぞれ押圧し支持するようにしたことを特徴とする請求項（１）に記載の硬貨回収補助具。
【発明の詳細な説明】
【技術分野】
【０００１】
本発明は、自動販売機に配設される硬貨処理装置に関し、特に硬貨処理装置の硬貨収容カセットに着脱自在に取り付けられる硬貨回収補助具であって、該硬貨収容カセットに収容された硬貨をその一部の硬貨を残して回収できる硬貨回収補助具に関するものである。
【背景技術】
【０００２】
従来の自動販売機では、投入された硬貨を識別し金種別に収容すると共に、この収容した硬貨を釣銭として払い出す図示せぬ硬貨処理装置が装備されている（特許文献１の図６、特許文献２の図１等参照）。
【０００３】
この従来の硬貨処理装置は、釣銭としての硬貨を金種別に積み重ねて収容する複数本のコインチューブから構成された硬貨収容カセットを備えている。この硬貨収容カセットは、上記硬貨処理装置の装置本体に着脱自在に取り付けられるようになっている。  
また、硬貨処理装置に取り付けられる硬貨収容カセットの鉛直方向上端部には、各コインチューブ毎に開口部が形成されており、この開口部を介して、自動販売機の利用者（顧客）が投入する硬貨が、釣銭としてコインチューブ内へ自動補給されるようになっている（特許文献２の図４等参照）。
【０００４】
また、硬貨収容カセットのコインチューブ内に収容された各硬貨を回収するには、前記硬貨処理装置から硬貨収容カセットを取り外した後、硬貨収容カセットを傾けて各コインチューブから各開口部を介し各硬貨を排出し回収するようにしているが、この回収の際には、次の販売のために釣銭として、各コインチューブ内に収容された硬貨のうちの一部の硬貨を、各コインチューブ内にそれぞれ残す必要がある。  
そこで、硬貨を回収する際には、図１５（ａ）及び図１５（ｂ）で示すように、硬貨収容カセット７１の蓋体７１ｂを開いて、カセット本体７１ａに収容されている図示せぬ硬貨を露出させた後、該カセット本体７１ａに残す硬貨を直接、図示せぬ手によって保持した状態でカセット本体７１ａを傾けることによって、該保持した所望の枚数の硬貨を釣銭として残すようにしていた。  
図１５は、従来の硬貨を回収する動作を説明するための図であって、特に図１５（ａ）は、硬貨処理装置から取り外され、かつ蓋体が開けられている途中の硬貨収容カセットの概念側面図であり、図１５（ｂ）はこの硬貨収容カセットの概念斜視図である。    
なお、図１５（ａ）の符号７１ｅは、蓋体７１ｂに配設された軸７１eを示し、符号７１ｄは、カセット本体７１ａの下端部に形成され、軸７１ｅを支承する孔を示している。 なお、この孔７１ｄと軸７１eとの係合により、蓋体７１ｂはカセット本体７１ａに回動自在に支承されている。
【０００５】
また従来、硬貨収容カセットを傾けて硬貨収容カセット内に収容された硬貨を回収する硬貨収容カセットとして、該硬貨収容カセットの側面に縦長の開口を形成し、硬貨収容カセットを傾ける際に、この縦長の開口から露出する収容された硬貨の周縁を、直接指で押さえ、これにより所望の枚数だけ釣銭として残すようにしたものが提案されている（特許文献１の図２、図３および図５参照）。
【０００６】
また、従来から、硬貨収容カセットの側面に、通常時は各コインチューブの外周方向に付勢され、指で押すことによりコインチューブ内部へ突出し各コインチューブ内に収容された硬貨を、該硬貨と対向するコインチューブの内周面に押圧して支持するボタンを設けた硬貨収容カセットが提案されている。この硬貨収容カセットを傾ける際に上記したボタンを指で押さえると、そのボタンによって直接押圧され支持された硬貨を含む所定枚数の硬貨を、釣銭として残すことができる（特許文献２の図３〜図７参照）。  
【０００７】
なお、硬貨収容カセット内に収容された硬貨を回収する方法には、上述したように硬貨収容カセットを倒して硬貨を回収する方法のほか、硬貨処理装置に具えられている自動回収機能を働かせ、これにより各コインチューブ内の硬貨をそれぞれ１枚ずつ各コインチューブの下端部から排出させ回収する方法がある。しかし、この方法では、各コインチューブから１枚ずつ硬貨を回収することとなるので、複数枚の硬貨を回収する回収時間全体が長くなり、そのため、その回収作業が煩雑である。
【０００８】
【特許文献１】特開平０５−１７４２２２号公報
【特許文献２】特開平０６−３３３１１８号公報
【発明の開示】
【発明が解決しようとする課題】
【０００９】
ところで、上述したように硬貨収容カセットを倒して硬貨を回収する従来の硬貨収容カセットでは、手又は指で残す硬貨又はボタンを押さえるようにしていたから、該押さえる作業が難しく、そのため硬貨収容カセットに収容された硬貨をその一部を残して回収する作業が煩雑であった。
【００１０】
また、硬貨収容カセットを倒して硬貨を回収する従来の硬貨収容カセットでは、硬貨収容カセットに開口又はボタンを形成する必要があったから、構造が複雑であり、また開口やボタンが形成されていない既存の硬貨収容カセットには、開口又はボタンを追加することはできない。
【００１１】
また、硬貨収容カセットにボタンを設ける従来の硬貨処理装置では、残す硬貨の枚数が予め配置されたボタンの位置に限定されてしまうから、所定の枚数の硬貨しか残すことができない。
【００１２】
この発明は、上述した事情に鑑み、硬貨収容カセットに収容された硬貨をその一部の硬貨を残して回収する作業を簡単に行うことができ、しかも残す硬貨の枚数を任意の枚数にすることができ、硬貨収容カセットに対して汎用であって、簡単な構造の硬貨回収補助具を提供することを目的とする。
【課題を解決するための手段】
【００１３】
上述した課題を解決するため、この発明の硬貨回収補助具は、硬貨を収容するカセット本体と、該カセット本体の一側を開閉自在に覆う蓋体とを具えた硬貨収容カセットの前記蓋体の内周壁面に嵌着される弾性体であって、該弾性体が嵌着された前記蓋体を閉める方向に付勢された時、前記弾性体により、カセット本体に収容された硬貨をカセット本体の内周壁面へ向けて押圧し支持することを特徴としている。
【発明の効果】
【００１４】
この発明の硬貨回収補助具は、硬貨収容カセットの蓋体の内周壁面に嵌着される弾性体であり、該弾性体が嵌着された前記蓋体を閉める方向に付勢された時、前記弾性体により、カセット本体に収容された硬貨をカセット本体の内周壁面へ向けて押圧し支持するようにしたから、手又は指で硬貨又はボタンを押さえていた場合に比し、硬貨を押圧し支持する作業が簡単になり、そのため硬貨収容カセットに収容された硬貨をその一部の硬貨を残して回収する作業を簡単に行うことができ、しかも弾性体の嵌着位置を変更することによって残す硬貨の枚数を任意の枚数にすることができ、硬貨収容カセットに嵌着されるものであるから簡単な構造であり、既存の硬貨収容カセットにも嵌着できるので汎用性が高い。
【発明を実施するための最良の形態】
【００１５】
以下、この発明の硬貨回収補助具の実施例を詳述する。  
【実施例１】
【００１６】
この発明の第一実施例の硬貨回収補助具１〜５は、図１で示すように、硬貨収容カセット７１の蓋体７１ｂに嵌着されるものである。  
図１は、この発明の第一実施例の硬貨回収補助具が、硬貨収容カセットに嵌着された様子を示す概念斜視図であって、硬貨収容カセットの蓋体が開いている様子を示す図である。図１乃至後述する図１４では、図１５と同一部分を同一符号で示している。  
図１で示すように、硬貨収容カセット７１は、図示せぬ硬貨Ｋ１、Ｋ２、Ｋ３、Ｋ４を収容するカセット本体７１ａと、該カセット本体７１ａの一側７１ｃを開閉自在に覆う蓋体７１ｂとを具えている。このうち、蓋体７１ｂはカセット本体７１ａに回動自在に支承されている。
【００１７】
また、硬貨収容カセット７１は、複数のコインチューブ７３〜７７を有している。  
このうち、コインチューブ７３は、カセット本体７１ａの内周壁面７３ａと蓋体７１ｂの内周壁面７３ｂとによって形成される。  
図１では、硬貨収容カセット７１の蓋体７１ｂを開いている様子を示しているが、硬貨収容カセット７１を、図示せぬ硬貨処理装置の図示せぬ装置本体に装着する際には、蓋体７１ｂが閉じた状態で装着される。また、硬貨収容カセット７１を上記硬貨処理装置の装置本体に装着している状態では、蓋体７１ｂは閉じられている。    
蓋体７１ｂが閉じられている状態では、カセット本体７１ａの一側７１ｃが蓋体７１ｂによって覆われ、またカセット本体７１ａの内周壁面７３ａと、蓋体７１ｂの内周壁面７３ｂとによって、硬貨Ｋ１を収容する円筒形のコインチューブ７３が形成されている。そのため、この硬貨収容カセット７１が、図示せぬ自動販売機内の硬貨処理装置の装置本体に装着されている場合には、該自動販売機の利用者が硬貨を投入すると、コインチューブ７３の開口部７２を介してコインチューブ７３内に該硬貨を収容できる。また、投入された硬貨はコインチューブ７３内に、その図示せぬ底面から積み重ねられて収容される。  
なお、硬貨収容カセット７１が上記硬貨処理装置の装置本体に装着された場合には、蓋体７１ｂが該装置本体に覆われるとともに、カセット本体７１ａのうち蓋体７１ｂが配設されている一側７１ｃとは反対側の面が、硬貨処理装置の外面の一部として露出する。硬貨収容カセット７１および上記硬貨処理装置の詳細な構造については、特開２００２−６３６４０号公報等を参照されたい。
【００１８】
また、図１で示すように、硬貨収容カセット１の蓋体７１ｂを開いた時、コインチューブ７３内に硬貨が収容されている場合には、収容されている硬貨の外周面略半分が硬貨収容カセット７１から露出する。
【００１９】
なお、硬貨収容カセット１の蓋体７１ｂが閉じられると、カセット本体７１ａに収容されている硬貨の外周面は蓋体７１ｂによって覆われ、該硬貨は、円筒形のコインチューブ７３に収容されることとなる。
【００２０】
また、コインチューブ７４〜７７の構成は、上述したコインチューブ７３の構成と同様である。なお、図１では、各コインチューブ７４〜７７を形成している各内周壁面７３ａ、７３ｂの各符号及びコインチューブ７４〜７７の開口部７２の符号の図示を省略している。    
また、この実施例では、コインチューブ７３およびコインチューブ７５は、硬貨Ｋ１（例えば１０円硬貨）を収容し、コインチューブ７４は、硬貨Ｋ２（例えば５０円硬貨）を収容し、コインチューブ７６は硬貨Ｋ３（例えば１００円硬貨）を収容し、コインチューブ７７は硬貨Ｋ４（例えば５００円硬貨）を収容するものとしている。なお、コインチューブ７３〜７５の各内径Ｓ１（図８（ａ））は、それぞれ、収容する硬貨Ｋ１、Ｋ２、Ｋ１、Ｋ３、Ｋ４の各外径Ｒ１に応じて形成されている。
【００２１】
一方、図１で示すように、硬貨回収補助具１〜５は、硬貨収容カセット７１の蓋体７１ｂの各内周壁面７３ｂに嵌着される弾性体である。
【００２２】
図２は、図１の硬貨回収補助具の構造を示す図であって、特に図２（ａ）は該硬貨回収補助具の概念正面図であり、図２（ｂ）は該硬貨回収補助具の概念斜視図である。  
図２で示すように、硬貨回収補助具１は、コインチューブ７３（図１）を形成する蓋体７１ｂの内周壁７３ｂに対向する第一の面１ａと、該第一の面１ａと反対側に形成された第二の面１ｂとを具えている。  
なお、第一の面１ａと第二の面１ｂとの間の距離、すなわち硬貨回収補助具１の厚さは１ｍｍ乃至２ｍｍ程度である。また、硬貨回収補助具１である弾性体は、たとえば、シリコンゴム又は柔らかい樹脂によって形成されている。  
また、第一の面１ａと第二の面１ｂは、図２（ａ）で示すように、いずれも、蓋体７１ｂの内周面７３ｂと同様に、断面略半円弧形状に形成されている。  
また、この硬貨回収補助具１は、第一の面１ａの両端１ｃに凹凸部１ｄが形成されている。  
なお、この硬貨回収補助具１の外径Ｄ１は、コインチューブ７３の内径Ｓ１（図８（ａ））よりも若干大きく形成されている（Ｄ１＞Ｓ１）。  
【００２３】
また、図１に示す硬貨回収補助具２〜５は、上記した硬貨回収補助具１と同様の構造である。ただし、硬貨回収補助具２〜５の各外径Ｄ１（図２（ａ）参照）は、それぞれコインチューブ７４〜７７の各内径Ｓ１（図８（ａ）参照）に応じ、この各内径Ｓ１より若干大きく形成されている。  
【００２４】
図１、図２に示す硬貨回収補助具１〜５は、個々に形成されたものであるが、これらの硬貨回収補助具を一体に形成し、それから所望の大きさに切り離して使用するようにも出来る。  
図３は、図１の硬貨回収補助具を切り離して作る時に用いる１枚の弾性体を示す概念斜視図である。また、図４は、図３に示した１枚の弾性体を説明する概念図であって、図４の上段に該弾性体の平面図を示し、図４の下段左に該弾性体の左側面図を示し、図４の下段右に該弾性体の正面図を示した図である。  
【００２５】
図３および図４で示すように、この１枚の弾性体１１は、複数の硬貨回収補助具１を具えてなる群１３と、複数の硬貨回収補助具２を具えてなる群１４と、複数の硬貨回収補助具３を具えてなる群１５と、複数の硬貨回収補助具４を具えてなる群１６と複数の硬貨回収補助具５を具えてなる群１７とが一体に形成されている。  
なお図４のＹ方向は、各硬貨回収補助具１〜５が嵌着された蓋体７１ｂ（図１）を閉めた場合に各コインチューブ７３〜７７の長手方向に沿った方向と平行になる方向である。また、図４のＸ方向は、Ｙ方向と直角であり、各硬貨回収補助具１〜５が嵌着された蓋体７１ｂ（図１）を閉めた場合にコインチューブ７３〜７７が配列されている方向と平行になる方向である。
【００２６】
また、図４で示すように、弾性体１１には、群１３中の硬貨回収補助具１と、これと隣り合う同じ群１３中の硬貨回収補助具１との間に、切り取り溝１１ｃが形成されている。
また、群１４〜１７中の各硬貨回収補助具２〜５についても、群１３中の各硬貨回収補助具１と同様に、互いに隣り合う同じ群１４〜１７中の硬貨回収補助具同士の間に、それぞれ切り取り溝１１ｃが形成されている。
【００２７】
また、弾性体１１には、各切り取り溝１１ｃの少なくとも一端が臨む孔１１ｂが形成されている。この孔１１ｂは、互いに隣り合う群１３と群１４との間、群１４と群１５との間、群１５と群１６との間および群１６と群１７との間に、それぞれ形成されている。
また、弾性体１１には、互いに隣り合う群１３と群１４との間、群１４と群１５との間、群１５と群１６との間、群１６と群１７との間に、それぞれ溝１１ａが形成されており、この各溝１１ａ上に、上記した孔１１ｂが配置されている。
【００２８】
また、群１３〜１７の各切り取り溝１１ｃは、それぞれコインチューブ７３〜７７に収容される各硬貨Ｋ１、Ｋ２、Ｋ１、Ｋ３、Ｋ４の各板厚に応じた間隔をあけて形成されている。  
たとえば、同一群１３中の各切り取り溝１１ｃは、群１３が硬貨回収補助具１を具えてなるものであり、この硬貨回収補助具１は、硬貨Ｋ１を収容するコインチューブ７３を形成する蓋体７１ｂの内周壁面７３ｂに嵌着するものだから、該切り取り溝１１ｃと、これと隣り合う同じ群１３中の切り取り溝１１ｃとの間隔が、硬貨Ｋ１を所定枚数積み重ねてなる高さ、いいかえると硬貨Ｋ１の板厚の所定倍である距離にされている。なお、この実施例では、群１３中の各切り取り溝１１ｃと、これと隣り合う同じ群１３中の切り取り溝１１ｃとの間隔が、硬貨Ｋ１を５枚積み重ねてなる高さにされている。  
なお、同一群１４中の各切り取り溝１１ｃ、同一群１５中の各切り取り溝１１ｃ、同一群１６中の各切り取り溝１１ｃ、同一群１７中の各切り取り溝１１ｃについても、上述した同一群１３中の各切り取り溝１１ｃと同様に、群１３〜１７中の各切り取り溝１１ｃとこれと隣り合う同じ群中の切り取り溝１１ｃとの間隔が、コインチューブ７３〜７７にそれぞれ収容する各硬貨Ｋ１、Ｋ２、Ｋ１、Ｋ３、Ｋ４の金種を示す、図３に数値で表示された数値の各硬貨を所定枚数積み重ねてなる高さにされている。
【００２９】
このような１枚の弾性体１１から、まず、硬貨回収補助具１からなる群１３を取り出す。
群１３を取り出すには、図５のＡ−Ａで示すように、群１３と群１４とを切り離す。このとき、群１３と群１４との間には溝１１ａが形成されているから、溝１１ａに沿って切り離せばよく、そのため群１３と群１４との切り離しが容易である。さらに、この溝１１ａ上には孔１１ｂが形成されているので、この孔１１ｂによって群１３と群１４との切り離しは一層容易である。
【００３０】
次に、図６のように取り出された群１３から、１つの硬貨回収補助具１を取り出す。
たとえば、図６のＢ−Ｂおよび図６のＣ−Ｃで示すように、取り出す硬貨回収補助具１と、それと隣り合う各硬貨回収補助具１とを切り離せば、図７で示すように、１つの硬貨回収補助具１を取り出すことができる。    
このとき、互いに隣り合う各硬貨回収補助具１同士の間には切り取り溝１１ｃが形成されているので、この切り取り溝１１ｃに沿って切り離せばよく、そのため隣り合う硬貨回収補助具１同士の切り離しが容易である。    
さらに、切り取り溝１１ｃの少なくとも一端は孔１１ｂに臨んでいるので、この孔１１ｂによって、互いに隣り合う硬貨回収補助具１同士の切り離しは一層容易である。
【００３１】
また、各硬貨回収補助具２〜７を切り離す場合にも、それぞれ各群１３〜１７をこれと隣接する群から切り離し、該群１３〜１７中の１つの硬貨回収補助具２〜７をこれと隣接する硬貨回収補助具２〜７から切り離せばよい。またその際、上述した硬貨回収補助具１と同様に、切り取り溝１１ｃ又は溝１１ａに沿って切り離しを行えばよい。
【００３２】
なお、上述した図５〜図７は、図３に示した１枚の弾性体から、図１の硬貨回収補助具を切り離す手順を示す概念図である。特に図６は、図５のＡ−Ａに沿ってその両側の群同士を切り離した様子を示す図である。また特に、図７は、図６のＢ−ＢおよびＣ−Ｃに沿ってそれぞれ、その両側の硬貨回収補助具同士を切り離し、図１の硬貨回収補助具を切り離した様子を示す図である。
【００３３】
次に、図２に示す１個ずつ成形した硬貨回収補助具を、コインチューブ７３〜７７を形成する蓋体７１ｂの各内周壁面７３ｂにそれぞれ嵌着させる動作、およびコインチューブ７３〜７７を形成する蓋体７１ｂの各内周壁面７３ｂからそれぞれ取り外す動作を説明する。
【００３４】
図１で示すように、硬貨回収補助具１（図２）を、コインチューブ７３を形成する蓋体７１ｂの内周壁面７３ｂに嵌着させるには、図２の硬貨回収補助具１の両端１ｃを指で挟んでつまみ、第一の面１ａを蓋体７１ｂの内周壁面７３ｂに接触させた後、指をはなす。すると、硬貨回収補助具１は弾性体であるので、該硬貨回収補助具１が内周壁面７３ｂに嵌着される。  
【００３５】
また、内周壁面７３ｂに嵌着された硬貨回収補助具１を、該内周壁面７３ｂから取り外すには、両端１ｃを挟むように指でつまみ、これにより第一の面１ａを内周壁面７３ｂから引き離せばよい。  
なお、嵌着された硬貨回収補助具１の両端１ｃには、図８（ｂ）で示すように凹凸部１ｄが形成されているので、凹凸部１ｄと内周壁面７３ｂとの間に隙間が形成され、この隙間によって、硬貨回収補助具１の両端１ｃをつまんで第一の面１ａを内周壁面７３ｂから引き離す作業がしやすく、そのため収容硬貨保持具１を内周壁面７３ｂから取り外すことが容易である。
【００３６】
また、図１に示すように、硬貨回収補助具２〜５は、コインチューブ７４〜７７を形成する蓋体７１ｂの各内周壁面７３ｂにそれぞれ嵌着されるが、硬貨回収補助具２〜５の嵌着動作は、上述した硬貨回収補助具１の嵌着動作と同様である。また、嵌着した硬貨回収補助具２〜５の取り外し動作は、上述した収容硬貨保持具１の取り外し動作と同様である。
【００３７】
また、硬貨回収補助具１〜５を、コインチューブ７３〜７７を形成する蓋体７１ｂの各内周壁面７３ｂにそれぞれ嵌着させる場合には、図１および図８（ｂ）で示すように、該嵌着された蓋体７１ｂを閉めたときに、硬貨回収補助具１〜５が、各コインチューブ７３〜７７内に残す硬貨のうち、一番上に積み重ねられている硬貨Ｋ１、Ｋ２、Ｋ１、Ｋ３、Ｋ４の各外周面と対向する位置（以下、単に「嵌着位置」という。）に嵌着させる。  
例えば、コインチューブ７３が透明樹脂製で蓋体７１ｂに硬貨の収納枚数を示す目盛りが形成されている場合には、コインチューブ７３内に残す硬貨Ｋ１の所望の枚数が４０枚であったら、コインチューブ７３に４０枚目に収容された硬貨Ｋ１に相当する蓋体７１ｂの内周面７３ｂから見える目盛り「４０」の箇所に、硬貨回収補助具１の上部が来るように硬貨回収補助具を嵌着させる。
【００３８】
図８は、図２の硬貨回収補助具が硬貨収容カセットに装着された様子を示す図であって、特に図８（ａ）は蓋体が開いている様子を示す概念断面図であり、図８（ｂ）は蓋体を閉じる方向に硬貨回収補助具である弾性体を付勢した様子を示す概念断面図であり、図８（ｃ）は、その付勢を、蓋体を手で押すことにより蓋体を閉じる動作によって、行っている様子を示す参考概念断面図である。  
図８（ａ）の矢印Ｅで示すように、硬貨回収補助具１が内周壁面７３ｂに嵌着された蓋体７１ｂを閉める（図８（ｃ）参照）。すると、図８（ｂ）で示すように、該嵌着された硬貨回収補助具１である弾性体が、蓋体７１ｂを閉める方向に付勢される。また、この付勢された弾性体によって、該弾性体と対向するカセット本体７１ａに収容された硬貨Ｋ１は、カセット本体７１ａの内周壁面７３ａへ向けて押圧され、該押圧された硬貨Ｋ１は、硬貨回収補助具１の第二の面１ｂとカセット本体７１ａの内周壁面７３ａとによって支持される。  
また、硬貨Ｋ１が押圧され支持された状態を維持して、カセット本体７１ａを倒す。すると、押圧され支持された硬貨Ｋ１より上に積み重ねられ収容された硬貨Ｋ１を、コインチューブ７３から開口部７２を介し排出させて該硬貨Ｋ１を回収することができるとともに、押圧され支持された硬貨Ｋ１およびその硬貨Ｋ１とコインチューブ７３の図示せぬ底面との間に積み重ねられている硬貨Ｋ１を、コインチューブ７３を形成するカセット本体７３内に残すことができる。
【００３９】
また、硬貨回収補助具２〜５も、上記した硬貨回収補助具１と同様に、嵌着位置と対向する各硬貨Ｋ２、Ｋ１、Ｋ３、Ｋ４を押圧して支持するので、この状態を維持して硬貨収容カセット７１を倒すと、該押圧され支持された硬貨Ｋ２、Ｋ１、Ｋ３、Ｋ４より上に積み重ねられ収容された硬貨Ｋ２、Ｋ１、Ｋ３、Ｋ４を、コインチューブ７４〜７７から各開口部７２を介し排出させて該硬貨を回収することができるとともに、押圧され支持された硬貨Ｋ２、Ｋ１、Ｋ３、Ｋ４およびその硬貨と各コインチューブ７４〜７７の図示せぬ各底面との間に積み重ねられている硬貨Ｋ２、Ｋ１、Ｋ３、Ｋ４を、それぞれコインチューブ７４〜７７内に残すことができる。
【００４０】
以上説明したように、この発明では、硬貨回収補助具１〜５が装着された後、該硬貨回収補助具１〜５が蓋体７１ｂを閉める方向に付勢された時、硬貨回収補助具１〜５により、カセット本体７１ａに収容された硬貨Ｋ１、Ｋ２、Ｋ１、Ｋ３、Ｋ４を、カセット本体７１ａの内周壁面７３ａへ向けて押圧し支持するようにしている。  
また、この硬貨回収補助具１〜５は、硬貨収容カセット７１の蓋体７１ｂの各内周壁面７３ｂに嵌着される弾性体であって、該弾性体が嵌着された前記蓋体を閉める方向に付勢された時、前記弾性体により、カセット本体７１ａに収容された硬貨Ｋ１、Ｋ２、Ｋ１、Ｋ３、Ｋ４を、カセット本体７１ａの各内周壁面７３ａへ向けて押圧し支持するようにしたものである。  
該硬貨回収補助具１〜５である弾性体を蓋体７１ｂを閉める方向に付勢するには、図８（ｃ）で示すように蓋体７１ｂを手で押すことにより、蓋体７１ｂを閉じればよい。また、この付勢を行うとき、蓋体７１ｂのどの位置を押さえてもよい。そのため、従来のように手又は指で直接、硬貨を押さえる又はボタンを押さえていた場合に比し、手で押さえる範囲が広がるから、硬貨Ｋ１、Ｋ２、Ｋ１、Ｋ３、Ｋ４を押圧し支持する作業が簡単になり、そのため、収容された硬貨Ｋ１、Ｋ２、Ｋ１、Ｋ３、Ｋ４をその一部の硬貨を残して回収する作業を簡単に行うことができる。
【００４１】
また、硬貨収容カセット７１の蓋体７１ｂは通常、プラスチック等の合成樹脂から形成されているから変形しにくい。そのため硬貨回収補助具１〜５は、硬貨を手で押さえる又はボタンを押さえていた場合に比し、可及的に均一に各硬貨Ｋ１、Ｋ２、Ｋ１、Ｋ３、Ｋ４の外周面を押圧できるので、該硬貨を押圧し支持する作業が簡単になる。
【００４２】
また、この実施例の硬貨回収補助具１〜５は、カセット本体７１ａの内周壁面７３ｂに嵌着されるものであるから、従来のように硬貨収容カセット７１に開口、又はボタンを形成する必要がなく、そのため構造が簡単である。
【００４３】
また、この実施例の硬貨回収補助具１〜５は、カセット本体７１ａの内周壁面７３ｂに嵌着されるものであるから、従来のように硬貨収容カセット７１に開口、又はボタンを形成する必要がなく、開口又はボタンが形成されていない既存の硬貨収容カセットに硬貨回収補助具１〜５を嵌着させれば、該既存の硬貨収容カセットに収容された各硬貨Ｋ１、Ｋ２、Ｋ１、Ｋ３、Ｋ４を回収する場合に、その一部の硬貨を残すことができる。    
したがって、この硬貨回収補助具１〜５は、硬貨収容カセットに対し汎用の硬貨回収補助具１〜５といえる。
【００４４】
また、この実施例の硬貨回収補助具１〜５は、カセット本体７１ａの内周壁面７３ｂに嵌着されるものであるから、従来のように硬貨収容カセット７１にボタンを形成する必要がなく、そのため該ボタンの位置に、残す硬貨の枚数が限定されることはない。また硬貨回収補助具１〜５の嵌着位置も任意に変更できる。したがって、硬貨収容カセット７１の各コインチューブ７３〜７７内にそれぞれ任意の枚数の硬貨Ｋ１、Ｋ２、Ｋ１、Ｋ３、Ｋ４を残すことができる。
【００４５】
また、この実施例の硬貨回収補助具１はカセット本体７３ａを傾けることにより、開口部７２を介しコインチューブ７３内の複数枚の硬貨を一括して排出させて回収でき、これにより、従来の自動回収機能を働かせた場合のように、コインチューブ７３内に収容された硬貨を１枚ずつ該コインチューブ７３の各下端部から排出させて回収するものに比し、各コインチューブ７３内に収容された複数枚の硬貨を回収する回収時間全体を短くでき、そのため、その回収作業が簡単である。なお、硬貨回収補助具２〜５についても、この硬貨回収補助具１と同様である。
【００４６】
また、硬貨収容カセット７１は、蓋体７１ｂの内周壁面７３ｂとカセット本体７１ａの内周壁面７３ａとによってそれぞれ形成されるコインチューブ７３〜７７を有しており、硬貨回収補助具１〜５である弾性体は、各コインチューブ７３〜７７をそれぞれ形成する蓋体７１ｂの各内周壁面７３ｂにそれぞれ嵌着され、該嵌着された各弾性体を蓋体７１ｂを介して蓋体７１ｂを閉める方向に付勢し、該付勢された各弾性体により、各コインチューブ７３〜７７を形成するカセット本体７１ａに収容された各硬貨Ｋ１、Ｋ２、Ｋ１、Ｋ３、Ｋ４を、各コインチューブ７３〜７７をそれぞれ形成するカセット本体７１ａの各内周壁面７３ａへ向けてそれぞれ押圧し支持するものである。    
従来、コインチューブ７３〜７７に積み重ねられた硬貨枚数の差が大きい場合には、手又は指で直接、硬貨を押さえる又はボタンを押さえる作業が難しかったが、この実施例の硬貨回収補助具では、蓋体７１ｂを介してコインチューブ７３〜７７に嵌着された各弾性体を、一括して付勢することができる。  
したがって、従来に比し、各コインチューブ７３〜７７に収容された各硬貨Ｋ１、Ｋ２、Ｋ１、Ｋ３、Ｋ４を、その一部の硬貨Ｋ１、Ｋ２、Ｋ１、Ｋ３、Ｋ４を残して回収する作業が簡単になる。
【００４７】
さらに、この実施例の各硬貨回収補助具１〜５には、それぞれ、互いに隣り合う硬貨回収補助具同士を互いに切り離す切り取り溝１１ｃ又は孔１１ｂが形成されている。したがって、この切り取り溝１１ｃ又は孔１１ｂによって、互いに隣り合う硬貨回収補助具同士を切り離す作業が簡単になる。
【００４８】
なお、上述した第一実施例の硬貨回収補助具１〜５では、第二の面１ｂに突起は形成されていないが、この発明の硬貨回収補助具は、この実施例に限定されず、第二の面１ｂに突起が形成されたものであってもよい。
【実施例２】
【００４９】
図９は、この発明の第二実施例の硬貨回収補助具の構造を示す図であって、特に図９（ａ）は該硬貨回収補助具の概念正面図であり、図９（ｂ）は該硬貨回収補助具の概念斜視図である。この図９では図２と同一部分を同一符号で示している。  
図９で示すように、この発明の第二実施例の硬貨回収補助具２１には、硬貨Ｋ１と対向する第二の面１ｂに、硬貨Ｋ１を押圧する突起部２２が形成されている。
【００５０】
この第二実施例の硬貨回収補助具２１を、図１０（ａ）で示すように、コインチューブ７３を形成する蓋体７１ｂの内周壁面７３ｂに嵌着する場合には、突起２２を両側から指でつまんで、第一の面１ａを蓋体７１ｂの内周壁面７３ｂに押し付けて該内周壁面７３ｂに接触させた後、指をはなすようにすればよい。また、嵌着した硬貨回収補助具２２を蓋体７１ｂの各内周面７３ｂから取り外す場合には、突起２２を両側から指でつまみ、これにより第一の面１ａを内周壁面７３ｂから引き離せばよい。    
このように突起２２をつまむことができると硬貨回収補助具１の両端１１ｃをつまむことなく、硬貨回収補助具２１を嵌着し又は取り外すことができるので、第一の実施例の硬貨回収補助具１に比し、硬貨回収補助具を嵌着する作業又は取り外す作業が容易である。
【００５１】
さらに、硬貨回収補助具２１の両端１ｃには、第一の面１ａに凹凸部１ｄが形成されており、凹凸部１ｄと内周壁面７３ｂとの間には隙間が形成されているので、この隙間によって、嵌着している硬貨回収補助具２１を内周壁面７３ｂから取り外す作業は一層容易である。
【００５２】
図１０は、図９の硬貨回収補助具が硬貨収容カセットに装着された様子を示す図であって、特に図１０（ａ）は蓋体が開いている様子を示す概念断面図であり、図１０（ｂ）は蓋体を閉じる方向に硬貨回収補助具である弾性体を示す概念断面図であり、図１０（ｃ）は、その付勢を、蓋体を手で押すことにより蓋体を閉じる動作によって、行っている様子を示す参考概念断面図である。
図１０（ａ）の矢印Ｅで示すように、第二実施例の硬貨回収補助具２１が嵌着された蓋体７１を閉じ（図１０（ｃ）参照）、これにより蓋体７１ｂを介し、硬貨回収補助具２１である弾性体を、蓋体７１ｂを閉じた方向に付勢する。すると、図１０（ｂ）で示すように、該弾性体の突起２２の面２２ａが、硬貨Ｋ１の外周面を押圧し、該硬貨Ｋ１を面２２ａと内周壁面７３ａとによって支持する。この硬貨Ｋ１は、図８（ｂ）で示すように第二の面１ｂ全体で押圧される場合に比し、より強い力によって押圧され支持されるから、この第二実施例の硬貨回収補助具２１によれば、第一実施例の硬貨回収補助具１に比し、収容された硬貨Ｋ１をその一部の硬貨Ｋ１を残して回収する作業がより簡単となる。  
なお、該一部の硬貨を残すためには、硬貨回収補助具２１を、蓋体７１ｂの内周壁面７３ｂの上記嵌着位置に嵌着させる必要があることは、第一実施例の硬貨回収補助具１〜５と同様である。
【００５３】
また、上述した第一の実施例の各硬貨回収補助具１〜５（図１）は、互いに分離しているものとし、第二の実施例の収容硬貨保持部２１についても同様であることとしたが、この発明の硬貨回収補助具は、硬貨保持具１〜５が一体形成されているものであってもよい。
【実施例３】
【００５４】
図１１は、この発明の第三実施例の硬貨回収補助具の構造を示す図であって、特に図１１（ａ）は該硬貨回収補助具の概念底面図であり、図１１（ｂ）は該硬貨回収補助具の概念斜視図である。  
図１１（ａ）および図１１（ｂ）で示すように、第三実施例の硬貨回収補助具３１では、硬貨回収補助具１〜５を一つずつ具えている。また、この硬貨回収補助具１〜５は互いに一体形成されている。  
【００５５】
この第三実施例の硬貨回収補助具３１は、図３および図４で示す１枚の弾性体１１から、硬貨保持具１〜５を互いに分離することなく切り取ることによりつくることができる。
また、この切り取りは、各コインチューブ７３〜７７に残す各硬貨Ｋ１、Ｋ２、Ｋ１、Ｋ３、Ｋ４の所望の枚数に合わせて行えばよい。
【００５６】
この第三実施例の硬貨回収補助具３１を蓋体７１ｂに嵌着させる際には、その構成要素である硬貨回収補助具１〜５を、コインチューブ７３〜７７を形成する蓋体７１ｂの各内周壁面７３ｂの上記各嵌着位置に嵌着させる必要があることは、第一実施例および第二実施例の硬貨回収補助具１〜５、２１で述べたとおりである。  
この第三実施例の硬貨回収補助具３１では、その構成要素である硬貨回収補助具１〜５が互いに一体形成されているので、硬貨回収補助具１〜５のいずれか１つの硬貨回収補助具の嵌着位置を決定すれば、他の収容硬貨の嵌着位置も自動的に決定される。  
そのため、第三実施例の硬貨回収補助具３１では、硬貨回収補助具１〜５を各内周壁面７３ｂに嵌着する際に各硬貨回収補助具１〜５ごとに嵌着位置を決定することなく、硬貨回収補助具１〜５を嵌着できる。  
したがって、第三実施例の硬貨回収補助具３１は、第一実施例および第二実施例のものに比し、硬貨回収補助具１〜５の嵌着作業が簡単であり、また第三実施例の硬貨回収補助具３１は、各コインチューブ７３〜７７に残す硬貨の枚数がすべて決まっている場合の硬貨回収補助具として好ましい。  
また、第三実施例の硬貨回収補助具３１では、硬貨回収補助具１〜５が一体形成されているから、嵌着した硬貨回収補助具１〜５を各内周壁面７３ｂから取り外す作業も、第一および第二の実施例の硬貨回収補助具１〜５、２１に比し簡単である。
【００５７】
また、第一実施例および第三実施例の硬貨回収補助具１〜５、２１、３１では、硬貨回収補助具１〜５を１つずつ配置するものとしたが、この発明の硬貨回収補助具は、硬貨回収補助具１〜５をそれぞれ所望の数ずつ具えており、かつこれらを一体形成した弾性体であってもよい。  
【実施例４】
【００５８】
図１２は、この発明の第四実施例の硬貨回収補助具の構造を示す概念図であって、図１２の上段に該弾性体の平面図を示し、図１２の下段左に該弾性体の左側面図を示し、図１２の下段右に該弾性体の正面図を示した図である。
この第四実施例の硬貨回収補助具４１は、蓋体７１ｂを開けた時に露出する硬貨を覆うように取り付けるもので、硬貨回収補助具１〜５をそれぞれ所望の数ずつ具えており、これらが一体形成されている。
【００５９】
この硬貨回収補助具４１を取り付けた場合は、蓋体７１ｂを閉めたときに、Ｙ方向（図４参照）の一番上に位置する各硬貨回収補助具１〜５が、それぞれ、コインチューブ７３〜７７内に残す所望枚数の硬貨Ｋ１、Ｋ２、Ｋ１、Ｋ３、Ｋ４のうち、一番上に積み重ねられている硬貨Ｋ１、Ｋ２、Ｋ１、Ｋ３、Ｋ４の各外周面と対向する位置に合わせて取り付ける。
【００６０】
この第四実施例の硬貨回収補助具４１は、図１３で示す１枚の弾性体から、所望の数の硬貨保持具１〜５を互いに分離することなく切り取ることによりつくることができる。  
なお、１枚の弾性体１１からの切り取りは、各コインチューブ７３〜７７に残す各硬貨Ｋ１、Ｋ２、Ｋ１、Ｋ３、Ｋ４の所望の枚数に合わせて行えばよく、図２で示すように、各コインチューブ７３〜７７内に残す各硬貨Ｋ１、Ｋ２、Ｋ１、Ｋ３、Ｋ４の枚数を、互いに異ならせてもよいことはもちろんである。
【００６１】
この第四実施例の硬貨回収補助具４１では、その構成要素である硬貨回収補助具１〜５が互いに一体形成されているので、硬貨回収補助具１〜５の嵌着作業および取り外し作業が簡単であり、また第四実施例の硬貨回収補助具４１は、各コインチューブ７３〜７７に残す硬貨の枚数がすべて決まっている場合の硬貨回収補助具として好ましい。
【００６２】
さらに、この硬貨回収補助具４１は、硬貨回収補助具１〜５をそれぞれ所望の数ずつ配置しているので、各硬貨回収補助具１〜５をそれぞれ一つずつ配置した第一乃至三の実施例の硬貨回収補助具１〜５、２１、３１に比し、押圧支持する硬貨の枚数が多くなる。したがって、この硬貨回収補助具４１は、第一乃至三の実施例の硬貨回収補助具１〜５、２１、３１に比し、可及的に確実に所望の枚数の硬貨を残すことができる。
【００６３】
さらに、この第四の実施例の硬貨回収補助具４１は、図１４で示すように、蓋体７１ｂを開いた場合に、蓋体７１ｂを閉じることなく、各コインチューブ７３〜７７に収容された硬貨Ｋ１、Ｋ２、Ｋ１、Ｋ３、Ｋ４をその一部の硬貨Ｋ１、Ｋ２、Ｋ１、Ｋ３、Ｋ４を残して回収することもできる。  
蓋体７１ｂを閉じないでこの回収を行うには、蓋体７１ｂを開いた場合に露出する各硬貨Ｋ１、Ｋ２、Ｋ１、Ｋ３、Ｋ４の外周面（図示しない）を硬貨回収補助具４１で覆うとともに該硬貨Ｋ１、Ｋ２、Ｋ１、Ｋ３、Ｋ４の外周面に各硬貨回収補助具１〜５の第二の面１ｂを嵌め合わせるように硬貨回収補助具４１を装着し、次に該硬貨回収補助具４１を直接手で押さえて蓋体７１ｂを閉める方向に付勢し、この付勢を維持して硬貨収容カセット１を倒せばよい。    
このようにすれば、硬貨回収補助具４１を蓋体７１ｂを閉じた場合と同様に、硬貨回収補助具1〜５である弾性体によって、カセット本体７１ａに収容された硬貨Ｋ１、Ｋ２、Ｋ１、Ｋ３、Ｋ４の外周面が押圧され該硬貨が支持される。  
なお、上述した図１３は、図１２に示した１枚の弾性体を説明する概念図であって、図１３の上段に該弾性体の平面図を示し、図１３の下段左に該弾性体の左側面図を示し、図１３の下段右に該弾性体の正面図を示している。また、図１４は、図１２の硬貨回収補助具を用いて、硬貨収容カセットに収容された硬貨をその一部の硬貨を残して回収する様子を示す概念斜視図である。また、この図１４では硬貨回収補助具４１の一端１１ｄが、蓋体７１ｂを開けた際に露出するカセット本体７１ａの縁に沿って配置されている様子も図示している。このように硬貨回収補助具４１の一端１１ｄを、蓋体７１ｂを開けた際に露出するカセット本体７１ａの縁に沿って配置すれば、残す硬貨を覆う硬貨回収補助具４１の位置決めが容易である。図１２〜図１４の符号２０は、各硬貨回収補助具１〜５の第一の面１ａに形成された目盛であって、各硬貨回収補助具１〜５に対応する各コインチューブ７３〜７７の収容硬貨の枚数を示す数値である。
【図面の簡単な説明】
【００６４】
【図１】図１は、この発明の第一実施例の硬貨回収補助具が、硬貨収容カセットに嵌着された様子を示す概念斜視図であって、硬貨収容カセットの蓋体が開いている様子を示す図。
【図２】図１の硬貨回収補助具の構造を示す図であって、特に図２（ａ）は該硬貨回収補助具の概念正面図、図２（ｂ）は該硬貨回収補助具の概念斜視図。
【図３】図１の硬貨回収補助具を切り離してつくる時に用いる１枚の弾性体を示す概念斜視図である。
【図４】図３に示した１枚の弾性体を説明する概念図であって、図４の上段に該弾性体の平面図を示し、図４の下段左に該弾性体の左側面図を示し、図４の下段右に該弾性体の正面図を示した図。
【図５】図３に示した１枚の弾性体から、図１の硬貨回収補助具を切り離す手順を示す概念図。
【図６】図３に示した１枚の弾性体から、図１の硬貨回収補助具を切り離す手順を示す概念図であって、特に図６は、図５のＡ−Ａに沿ってその両側の群同士を切り離した様子を示す図。
【図７】図３に示した１枚の弾性体から、図１の硬貨回収補助具を切り離す手順を示す概念図であって、特に図７は、図６のＢ−ＢおよびＣ−Ｃに沿ってそれぞれ、その両側の硬貨回収補助具同士を切り離し、図１の硬貨回収補助具をつくった様子を示す図。
【図８】図２の硬貨回収補助具が硬貨収容カセットに装着された様子を示す図であって、特に図８（ａ）は蓋体が開いている様子を示す概念断面図であり、図８（ｂ）は蓋体を閉じる方向に硬貨回収補助具である弾性体を付勢した様子を示す概念断面図であり、図８（ｃ）は、その付勢を、蓋体を手で押すことにより蓋体を閉じる動作によって、行っている様子を示す参考概念断面図。
【図９】この発明の第二実施例の硬貨回収補助具の構造を示す図であって、特に図９（ａ）は該硬貨回収補助具の概念正面図であり、図９（ｂ）は該硬貨回収補助具の概念斜視図。
【図１０】図９の硬貨回収補助具が硬貨収容カセットに装着された様子を示す図であって、特に図１０（ａ）は蓋体が開いている様子を示す概念断面図であり、図１０（ｂ）は蓋体を閉じる方向に硬貨回収補助具である弾性体を示す概念断面図であり、図１０（ｃ）は、その付勢を、蓋体を手で押すことにより蓋体を閉じる動作によって、行っている様子を示す参考概念断面図。
【図１１】この発明の第三実施例の硬貨回収補助具の構造を示す図であって、特に図１１（ａ）は該硬貨回収補助具の概念底面図であり、図１１（ｂ）は該硬貨回収補助具の概念斜視図である。
【図１２】この発明の第四実施例の硬貨回収補助具の構造を示す概念図であって、図１２の上段に該弾性体の平面図を示し、図１２の下段左に該弾性体の左側面図を示し、図１２の下段右に該弾性体の正面図を示した図。
【図１３】図１２に示した１枚の弾性体を説明する概念図であって、図１３の上段に該弾性体の平面図を示し、図１３の下段左に該弾性体の左側面図を示し、図１３の下段右に該弾性体の正面図を示した図。
【図１４】、図１４は、図１２の硬貨回収補助具を用いて、硬貨収容カセットに収容された硬貨をその一部の硬貨を残して回収する様子を示す概念斜視図である。
【図１５】従来の硬貨を回収する動作を説明するための図であって、特に図１５（ａ）は、硬貨処理装置から取り外され、かつ蓋体が開けられている途中の硬貨収容カセットの概念側面図であり、図１５（ｂ）はこの硬貨収容カセットの概念斜視図。
【符号の説明】
【００６５】
１、２、３、４、５、２１、３１、４１…硬貨回収補助具
１、２、３、４、５、２１、３１、４１…弾性体
１１…１枚の弾性体
１１ｂ…孔
１１ｃ…切り取り溝
２０…目盛
２２…突起
７１…硬貨収容カセット
７１ａ…コインチューブ本体
７１ｂ…蓋体
７１ｃ…コインチューブ本体の一側
７３、７４、７５、７６、７７…コインチューブ
７３ａ…コインチューブを形成するカセット本体の内周壁面
７３ｂ…コインチューブを形成する蓋体の内周壁面
Ｅ…蓋体を閉める方向
Ｋ１、Ｋ２、Ｋ３、Ｋ４…硬貨
【図１】
2010146178.tif 000003
【図２】
2010146178.tif 000004
【図３】
2010146178.tif 000005
【図４】
2010146178.tif 000006
【図５】
2010146178.tif 000007
【図６】
2010146178.tif 000008
【図７】
2010146178.tif 000009
【図８】
2010146178.tif 000010
【図９】
2010146178.tif 000011
【図１０】
2010146178.tif 000012
【図１１】
2010146178.tif 000013
【図１２】
2010146178.tif 000014
【図１３】
2010146178.tif 000015
【図１４】
2010146178.tif 000016
【図１５】
2010146178.tif 000017